(57)【要約】【課題】印刷処理状態に応じた印刷済シートの分別と、印刷処理状態の良くないページの再印刷とを印刷処理の生産性を落すことなく実行すること。【解決手段】印刷物読取ユニット１０１で比較用原稿から取得した第１画像データと、印刷物読取ユニット１０５で検査対象の印刷済シートから取得した第２画像データとをページ単位で比較して、判定ユニット１０３が印刷済シートの印刷処理状態を判定し、排紙先切替ユニット１０６が、特定ページの印刷処理状態が良判定の場合は該特定ページの印刷済シートを検査済みトレイに排紙し、特定ページの印刷処理状態が良判定でない場合は該特定ページの印刷済シートを廃棄用トレイに排紙して該特定ページの印刷済シートに引き続く印刷済シートの排紙を待機させ、補完印刷ユニット１０４が該特定ページの第１画像データに基づく再印刷処理を行って該再印刷処理されたシートを検査済みトレイに排紙させるよう制御する。【選択図】図１
2009124519.tif 000002
【特許請求の範囲】
【請求項１】
第１画像データに基づいてシートに印刷処理を実行する印刷手段と、
前記印刷手段により印刷処理された印刷済シートを読取って第２画像データを取得する画像取得手段と、
前記第１画像データと前記第２画像データとをページ単位で比較して前記印刷済シートの印刷処理状態を判定する判定手段と、
特定ページの前記印刷処理状態が良と前記判定手段が判定した場合に前記特定ページの印刷済シートを第１積載部に排紙し、前記特定ページの前記印刷処理状態が良と前記判定手段が判定しない場合に前記特定ページの印刷済シートを第２積載部に排紙する排紙手段と、
前記特定ページの前記印刷処理状態が良と前記判定手段が判定しない場合に、前記特定ページの印刷済シートに引き続く印刷済シートの排紙を待機させ、前記特定ページの前記第１画像データに基づく再印刷処理を行って前記再印刷処理されたシートを前記第１積載部に排紙させるよう制御する制御手段と、
を有することを特徴とする印刷システム。
【請求項２】
前記判定手段と、前記制御手段とを有する印刷処理装置と、
前記画像取得手段と、前記排紙手段とを有する排紙装置と、
を有することを特徴とする請求項１に記載の印刷システム。
【請求項３】
前記画像取得手段は、前記排紙装置に設けられた原稿読取部により前記印刷済シートを読取って前記第２画像データを取得することを特徴とする請求項２に記載の印刷処理装置。
【請求項４】
前記排紙装置は、前記印刷済シートを前記原稿読取部に給紙する給紙手段を有することを特徴とする請求項３に記載の印刷システム。
【請求項５】
前記印刷済シートの判定結果を蓄積する蓄積手段を有し、
前記制御手段は、前記蓄積手段に蓄積されている前記判定結果に基づいて印刷済シートの排紙先を制御することを特徴とする請求項１乃至４のいずれか１項に記載の印刷システム。
【請求項６】
前記第１画像データは、外部装置から受信する印刷ジョブに含まれることを特徴とする請求項１乃至５のいずれか１項に記載の印刷システム。
【請求項７】
原稿を読取って前記第１画像データを取得する読取り手段を有することを特徴とする請求項１乃至５のいずれか１項に記載の印刷システム。
【請求項８】
前記印刷済シートが両面原稿の場合には、前記判定手段は、前記第１画像データと前記第２画像データの両面ページをそれぞれ比較して前記印刷済シートの印刷処理状態を判定する、ことを特徴とする請求項１乃至７のいずれか１項に記載の印刷システム。
【請求項９】
印刷処理方法であって、
第１画像データに基づいてシートに印刷処理を実行する印刷ステップと、
前記印刷ステップにより印刷処理された印刷済シートを読取って第２画像データを取得する画像取得ステップと、
前記第１画像データと前記第２画像データとをページ単位で比較して前記印刷済シートの印刷処理状態を判定する判定ステップと、
特定ページの前記印刷処理状態が良と前記判定ステップが判定した場合に前記特定ページの印刷済シートを第１積載部に排紙し、前記特定ページの前記印刷処理状態が良と前記判定ステップが判定しない場合に前記特定ページの印刷済シートを第２積載部に排紙する排紙ステップと、を有し、
前記特定ページの前記印刷処理状態が良と前記判定手段が判定しない場合に、前記特定ページの印刷済シートに引き続く印刷済シートの排紙を待機させ、前記特定ページの前記第１画像データに基づく再印刷処理を行って前記再印刷処理されたシートを前記第１積載部に排紙させるよう制御することを特徴とする印刷処理方法。
【請求項１０】
前記第１画像データは、外部装置から受信する印刷ジョブに含まれることを特徴とする請求項９に記載の印刷処理方法。
【請求項１１】
原稿を読取って前記第１画像データを取得する読取りステップを有することを特徴とする請求項９記載の印刷処理方法。
【請求項１２】
前記印刷済シートが両面原稿の場合には、前記判定ステップは、前記第１画像データと前記第２画像データの両面ページを比較して前記印刷済シートの印刷処理状態を判定することを特徴とする請求項９乃至１１のいずれか１項に記載の印刷処理方法。
【請求項１３】
印刷処理装置に請求項９乃至１２のいずれか１項に記載の印刷処理方法を実行させるためのプログラム。
【発明の詳細な説明】
【技術分野】
【０００１】
本発明は、印刷システム、印刷処理方法、及び、プログラムに関する。
【背景技術】
【０００２】
画像自動検査装置等を用いて印刷物の白抜け、汚れ等のプリントされた画像不良の有無判定を行う従来技術がある。さらに、印刷機能と画像読取機能とを有するＭＦＰ（Multi Function Peripheral）を画像自動検査装置として利用する従来技術もある。
【０００３】
特許文献１，２では、シートを印刷処理し、シートの搬送路上に設けられた画像読取ユニットによりシート上の画像を読取り、原画像と比較・照合して印刷済シートの印刷処理状態の良否を判定する技術が開示されている。さらに、特許文献１，２では、印刷処理状態が悪いページを廃棄トレイへ振り分けるとともに、そのページを再印刷する技術が開示されている。
【特許文献１】特開平１０−１４５５３０号公報
【特許文献２】特開２００２−２９２９８３号公報
【発明の開示】
【発明が解決しようとする課題】
【０００４】
しかし、特許文献１，２にて開示されている、印刷済シートを検査しながら引き続くページの印刷処理をする技術では、印刷済シートの搬送路上に専用の画像読取装置を設ける必要があった。
【０００５】
また、特許文献１，２では、印刷済シートの印刷処理状態の判定を行ってから、引き続くページの印刷処理を開始するため、生産性が落ちるという問題があった。また、専用の画像読取装置で印刷済シートを読取った後に搬送路上で発生し得るジャム等の異常に対する対策がされていないという問題があった。
【０００６】
なお、印刷処理済みのシートの全ページを読取って印刷処理状態を判定し、印刷処理状態の良くないページのみ再印刷を行う構成を採用することが考えられる。しかし、その場合、再印刷処理したシートを人手により差し替え又は挿入する必要がある。このため、差し換え（挿入）の際に、人為的ミスが発生する可能性がある。
【０００７】
本発明は、上記の問題点を解決するためになされたものである。本発明の目的は、印刷済シートに印刷処理状態の良くないシートが含まれている場合に、印刷処理状態に応じたシートの分別と、印刷処理状態の良くないページの再印刷処理とを、印刷処理の生産性を落すことなく実行する印刷システム、印刷処理方法及びプログラムを提供することである。
【課題を解決するための手段】
【０００８】
本発明は、第１画像データに基づいてシートに印刷処理を実行する印刷手段と、前記印刷手段により印刷処理された印刷済シートを読取って第２画像データを取得する画像取得手段と、前記第１画像データと前記第２画像データとをページ単位で比較して前記印刷済シートの印刷処理状態を判定する判定手段と、特定ページの前記印刷処理状態が良と前記判定手段が判定した場合に前記特定ページの印刷済シートを第１積載部に排紙し、前記特定ページの前記印刷処理状態が良と前記判定手段が判定しない場合に前記特定ページの印刷済シートを第２積載部に排紙する排紙手段と、前記特定ページの前記印刷処理状態が良と前記判定手段が判定しない場合に、前記特定ページの印刷済シートに引き続く印刷済シートの排紙を待機させ、前記特定ページの前記第１画像データに基づく再印刷処理を行って前記再印刷処理されたシートを前記第１積載部に排紙させるよう制御する制御手段と、を有することを特徴とする。
【発明の効果】
【０００９】
本発明によれば、印刷済シートに印刷処理状態の良くないシートが含まれている場合に、印刷処理状態に応じたシートの分別と、印刷処理状態の良くないページの再印刷処理とを、印刷処理の生産性を落すことなく実行する印刷システム、印刷処理方法及びプログラムを提供することができる。さらに、手作業で差し換え（挿入）を行う必要もなく、差し換え（挿入）の際の人為的ミスを防ぐことができる。
【発明を実施するための最良の形態】
【００１０】
〔第１実施形態〕
以下、図面を用いて本発明の実施形態を説明する。
【００１１】
図１は、本発明の第１実施形態を示すシステムの構成を示すブロック図である。
【００１２】
本実施形態のシステムでは、図１に示すように、ＭＦＰ本体２１０、フィニッシャ２２０を画像検査補完装置として利用するものである。
【００１３】
作業者は、ＭＦＰ本体２１０のＡＤＦ３３０（図３）には比較用原稿（検査対象の印刷済シートの原稿）をセットする。また、フィニッシャ２２０のインサータ２２５には検査する印刷物（検査対象の印刷済シート）をセットする。そして、検査処理を開始させる。
【００１４】
すると、印刷物読取ユニット（印刷物読取手段）１０１が、ＭＦＰ本体２１０のＡＤＦ３３０にセットされた原稿から画像データ（第１画像データ）を読取る（画像取得する）。さらに、印刷物読取ユニット（印刷物読取手段）１０５が、フィニッシャ２２０のインサータ２２５にセットされた印刷済シートから画像データ（第２画像データ）を読取る（画像取得する）。
【００１５】
そして、画像解析ユニット（画像解析手段）１０２が、印刷物読取ユニット１０１で読取った第１画像データと、印刷物読取ユニット１０５で読取った第２画像データとをページ単位で比較・解析する。なお、画像解析ユニット１０２による画像の比較・解析方法は、パターンマッチングによる比較・解析、印刷物に埋め込まれた解析情報（ページ、改定情報）を用いた比較・解析等、各種の方法が考えられるが、本発明では方法は限定しない。
【００１６】
さらに、画像解析ユニット１０２の比較・解析結果に基づいて判定ユニット（判定手段）１０３がページ単位で第２画像データの良否判定を行う。判定ユニット１０３の判定の結果、印刷処理状態が正常（良）と判定された印刷済シートは、排紙先切替ユニット（排紙先切替手段）１０６が第１積載部（検査済みトレイ、例えば後述する図３に示す排紙トレイ７０）に排紙する。即ち、排紙先切替ユニット１０６は、特定ページの印刷処理状態が良と判定ユニット１０３が判定した場合に前記特定ページの印刷済シートを検査済みトレイに排紙する。
【００１７】
一方、判定ユニット１０３で印刷処理状態が良くないと判定された印刷済シートは、排紙先切替ユニット１０６が第２積載部（廃棄用トレイ、例えば後述する図３に示す排紙トレイ６０）に排紙する。即ち、排紙先切替ユニット１０６は、特定ページの前記印刷処理状態が良と判定ユニット１０３が判定しない場合に前記特定ページの印刷済シートを廃棄用トレイに排紙する。そして、前記特定ページの印刷済シートに引き続く印刷済シートの排紙を待機させ、補完印刷ユニット（制御手段）１０４が印刷処理状態が良でないと判定されたページ（前記特定ページ）に対応する第１画像データを再印刷処理する。そして、再印刷処理されてフィニッシャ２２０に搬送されたシート（再印刷済みのシート）を排紙先切替ユニット１０６が検査済みトレイに排紙する。
【００１８】
このような一連の処理を、検査対象の印刷済シートのページ毎に行うことにより、本実施形態のシステムは、不良ページの差し替え（又は不足ページ挿入）などの適切な補完動作を行うものである。
【００１９】
図２は、本実施形態のシステムを構成する装置のハードウェアの構成の一例を示すブロック図である。
【００２０】
図２において、２００はクライアントＰＣである。クライアントＰＣ２００において、２０１はＣＰＵであり、内部バスで接続される各デバイス（後述のＲＯＭ２０２やＲＡＭ２０３等）を直接或いは間接的に制御して、プリント処理などクライアントＰＣ２００の動作を実現するためのプログラムを実行する。
【００２１】
ＲＯＭ２０２は、ＢＩＯＳ（Basic Input/Output System）等の基本ソフトウェアを格納する。ＲＡＭ２０３は、ＣＰＵ２０１のワーク領域として利用される。また、ＲＡＭ２０３には、ＣＰＵ２０１がＨＤＤ２０４からアプリケーションプログラムをロードするためにデータが一時的に記憶される。ＨＤＤ（ハードディスクドライブ）２０４は、ＣＰＵ２０１により実行されるプログラム（各種アプリケーションプログラム、プリンタドライバプログラム等）をファイルとして格納している。
【００２２】
入力装置２０５は、ユーザインタフェースであり、例えばプログラムの中で操作画面がモニタ２０６に表示された際に、その操作画面に対するユーザの操作を入力するためのもの（キーボード、ポインティングデバイス等）である。モニタ２０６は、上述の操作画面等を表示する。
【００２３】
インタフェース（Ｉ／Ｆ）２０７は、クライアントＰＣ２００と、ネットワーク２３０とを相互に接続するためのである。
【００２４】
続いて、図２に示す本実施形態のＭＦＰは、ＭＦＰ本体２１０と印刷済みのシートに対し後処理を行うフィニッシャ２２０とから構成される。
【００２５】
ＭＦＰ本体２１０は、ネットワーク２３０を介して、コンピュータ端末（クライアントＰＣ２００）へ印刷サービス、スキャンサービス、ストレージサービス、及び送信サービス等を提供するネットワーク対応型のＭＦＰである。ここで、送信サービスとは、ＦＡＸ送信、電子メール送信、及びファイル転送等をいう。
【００２６】
ＭＦＰ本体２１０は、通信装置２１１、ＣＰＵ２１２、メモリ２１３、外部記憶装置（以下、ＨＤＤと称する）２１４、画像処理装置２１５、イメージリーダユニット２１６、プリンタユニット２１７、表示操作部２１８、及び、制御Ｉ／Ｆ２１９等から構成される。
【００２７】
ＣＰＵ２１２は、画像処理装置２１５における種々の機能を実現するためのプログラムを実行するコンピュータである。具体的には、ＣＰＵ２１２は、本実施形態におけるＭＦＰ本体２１０の動作を実現するためのプログラムであるＭＦＰエージェントをＨＤＤ２１４から読み出す。そして、ＣＰＵ２１２は、読み出したプログラムを、メモリ２１３をワーク領域として実行して各部を制御することにより、図１に示した印刷物読取ユニット１０１，画像解析ユニット１０２，判定ユニット１０３，補完印刷ユニット１０４の機能を実現する。
【００２８】
また、表示操作部（オペレーションパネル）２１８は、ユーザインタフェースであり、タッチパネルの機能を備えている。また、制御インタフェース（制御Ｉ／Ｆ）２１９は、フィニッシャ２２０と制御信号やデータの通信を行う。
【００２９】
フィニッシャ２２０は、画像読取部２２３、インサータ２２５、排紙トレイ２２７、表示操作部２２４、制御部２２１、外部記憶装置２２２、及び、制御Ｉ／Ｆ２２６等から構成され、各構成要素が通信可能に接続されている。
【００３０】
インサータ２２５は、ＭＦＰ本体２１０による印刷後のシートに挿入するための表紙用厚紙や仕切り用色紙等のシート（以下、挿入用シートと言う）を供給する。画像読取部２２３は、インサータ２２５から給紙されるシート（画像が形成された紙等のシート）から画像データを読取る。
【００３１】
排紙トレイ２２７は、フィニッシャ２２０から排出されるシートを受ける複数のトレイ（例えば、後述する図３に示す排紙トレイ６０，７０）が移動可能に設けられ、ＭＦＰ本体２１０による印刷後シートのソーティング処理等を行う可動排紙トレイである。
【００３２】
表示操作部２２４は、各種操作入力やメッセージの表示を行うための液晶タッチパネル等で構成される。制御部２２１は、ＭＰＵ及びその周辺装置から構成され機器の制御や各種演算処理を行う。
【００３３】
外部記憶装置２２２は、制御部２２１で処理される各種データを記憶するハードディスク等の記憶装置である。制御インタフェース（制御Ｉ／Ｆ）２２６は、ＭＦＰ本体２１０と制御信号やデータの通信を行う。
【００３４】
制御部２２１は、内部に設けられたＲＯＭ等に記憶されるプログラムを実行して各部を制御することにより、図１に示した印刷物読取ユニット１０５，排紙先切替ユニット１０６の機能を実現する。
【００３５】
なお、外部装置としてのクライアントＰＣ２００は、後述する第２実施形態において、印刷ジョブを生成し、ＭＦＰ本体２１０に送信する際等に使用される。
【００３６】
図３は、図２に示したＭＦＰ本体２１０及びフィニッシャ２２０のメカ構成の一例を示す断面図である。
【００３７】
図３に示す印刷処理装置は、ＭＦＰ本体２１０と、折り装置４０と、フィニッシャ２２０とから構成され、ＭＦＰ本体２１０は原稿読取手段としてのイメージリーダユニット２１６及び印刷手段としてのプリンタユニット２１７を備える。なお、図１，図２では図示していないように、本発明の印刷処理装置は、折り装置４０を備えていない構成であってもよい。
【００３８】
イメージリーダユニット２１６には、原稿給送装置（ＡＤＦ）３３０が搭載されている。原稿給送装置３３０は、原稿トレイ上に上向きにセットされた原稿を先頭ページから順に１枚づつ左方向へ給紙し、湾曲したパスを介してプラテンガラス３０２上を左から流し読取り位置を経て右へ搬送し、その後外部の排紙トレイ３１２に向けて排出する。なお、原稿給送装置３３０には原稿トレイ上に原稿がセットされたことを検知可能なセンサ（不図示）が設けられている。
【００３９】
この原稿がプラテンガラス３０２上の流し読取り位置を左から右へ向けて通過するときに、この原稿画像は流し読取り位置に対応する位置に保持されたスキャナユニット３０４により読取られる。この読取り方法は、一般的に、原稿流し読みと呼ばれる方法である。具体的には、原稿が流し読取り位置を通過する際に、原稿の読み取り面がスキャナユニット３０４のランプ３０３の光で照射され、その原稿からの反射光がミラー３０５、３０６、３０７を介してレンズ３０８に導かれる。このレンズ３０８を通過した光は、イメージセンサ３０９の撮像面に結像する。
【００４０】
このように流し読取り位置を左から右へ通過するように原稿を搬送することによって、原稿の搬送方向に対して直交する方向を主走査方向とし、搬送方向を副走査方向とする原稿読取り走査が行われる。すなわち、原稿が流し読取り位置を通過する際に主走査方向に原稿画像を１ライン毎にイメージセンサ３０９で読取りながら、原稿を副走査方向に搬送することによって原稿画像全体の読取りが行われる。光学的に読取られた画像はイメージセンサ３０９によって画像データに変換されて出力される。
【００４１】
イメージセンサ３０９から出力された画像データは、後述する画像信号制御部（不図示）において所定の処理が施された後にプリンタユニット２１７の露光制御部３１０にビデオ信号として入力される。
【００４２】
なお、原稿給送装置３３０により原稿をプラテンガラス３０２上に搬送して所定位置に停止させ、この状態でスキャナユニット３０４を左から右へ走査させることにより原稿を読取ることも可能である。この読取り方法は、いわゆる原稿固定読みと呼ばれる方法である。
【００４３】
原稿給送装置３３０を使用しないで原稿を読取るときには、まず、ユーザにより原稿給送装置３３０を持ち上げてプラテンガラス３０２上に原稿を載置し、そして、スキャナユニット３０４を左から右へ走査させることにより原稿の読取りを行う。すなわち、原稿給送装置３３０を使用しないで原稿を読取るときには、原稿固定読みが行われる。
【００４４】
プリンタユニット２１７の露光制御部３１０は、入力されたビデオ信号に基づきレーザ光を変調して出力し、該レーザ光はポリゴンミラー３１０ａにより走査されながら感光ドラム３１１上に照射される。感光ドラム３１１には走査されたレーザ光に応じた静電潜像が形成される。ここで、露光制御部３１０は、後述するように、原稿固定読み時には、正しい画像（鏡像でない画像）が形成されるようにレーザ光を出力する。
【００４５】
この感光ドラム３１１の静電潜像は、現像器３１３から供給される現像剤によって現像剤像として可視像化される。また、レーザ光の照射開始と同期したタイミングで、各カセット３１４，３１５、手差給紙部３２５又は両面搬送パス３２４から用紙が給紙され、この用紙は感光ドラム３１１と転写部３１６との間に搬送される。感光ドラム３１１に形成された現像剤像は転写部３１６により給紙された用紙上に転写される。
【００４６】
現像剤像が転写された用紙は、定着部３１７に搬送され、定着部３１７は用紙を熱圧することによって現像剤像を用紙上に定着させる。定着部３１７を通過した用紙はフラッパ３２１及び排出ローラ３１８を経てプリンタユニット２１７から外部（折り装置４０）に向けて排出される。なお、折り装置４０は図２には示されていない。
【００４７】
プリンタユニット２１７から排出された用紙は折り装置４０に送られる。この折り装置４０は、用紙をＺ形に折りたたむ処理を行う。例えば、Ａ３サイズやＢ４サイズのシートでかつ折り処理が指定されているときには、折り装置４０で折り処理を行い、それ以外の場合、プリンタユニット２１７から排出された用紙は折り装置４０を通過してフィニッシャ２２０に送られる。このフィニッシャ２２０には、画像が形成された用紙に挿入するための表紙、合紙などの特殊用紙を給送するインサータ２２５が設けられている。
【００４８】
なお、本実施形態では、インサータ２２５には、インサータ２２５により給紙されるシートから画像データを読取るための原稿読取部としての画像読取部（センサ）２２３が設けられている。また、インサータ２２５には、インサータ２２５上にシートがセットされたことを検知可能なセンサ（不図示）も設けられている。
【００４９】
フィニッシャ２２０では、製本処理、綴じ処理や穴あけなどの各処理を行い、排紙トレイ２２７（排紙トレイ６０，７０）に排紙する。
【００５０】
なお、本実施形態において、イメージリーダユニット２１６は、上述したように、イメージリーダユニット２１６から読取った画像データをプリンタユニット２１７により印刷出力する際等に用いる通常の読取りモードと、後述する検査モードとを有する。なお、このモードは、表示操作部２１８からの操作によって切替可能である。
【００５１】
以下、図４、図５のフローチャートを用いて、本実施形態における検査補完処理の各ステップの動作を説明する。
【００５２】
図４は、本発明における第１の制御処理手順の一例を示すフローチャートであり、ＭＦＰ本体２１０の動作を示す。なお、このフローチャートの処理は、図２に示したＭＦＰ本体２１０のＣＰＵ２１２がメモリ２１３，外部記憶装置２１４に格納されたプログラムを実行することにより実現される。
【００５３】
まず、ステップＳ４-１において、ＣＰＵ２１２は、表示操作部２１８からのＭＦＰ利用作業者による検査モードへの切替操作を検知すると、ステップＳ４-２に処理を進める。
【００５４】
次に、ステップＳ４-２では、ＣＰＵ２１２は、作業者により検査対象の比較用原稿（検査対象の印刷済シートの原稿）がＭＦＰ本体２１０のＡＤＦ３３０にセットされたことを検知するまで待機する。そして、ＣＰＵ２１２は、ＡＤＦ３３０への比較用原稿のセットを検知したら、ステップＳ４-３に処理を進める。
【００５５】
次に、ステップＳ４-３では、ＣＰＵ２１２は、フィニッシャ２２０から送信される印刷物検知情報（インサータ２２５に検査対象の印刷済シートがセットされたことを検知した旨の通知）の受信を確認する。なお、ＭＦＰ本体２１０とフィニッシャ２２０との通信は図２に示したように制御Ｉ／Ｆ２１９，制御Ｉ／Ｆ２２６を介して行われる。そしてステップＳ４-３において、ＣＰＵ２１２は、フィニッシャ２２０から送信される印刷物検知情報の受信を確認すると、ステップＳ４-４に処理を進める。
【００５６】
ステップＳ４-４では、ＣＰＵ２１２は、フィニッシャ２２０に原稿読取開始の指示を送信し、ステップＳ４-５に処理を進める。
【００５７】
ステップＳ４-５では、ＣＰＵ２１２は、ＡＤＦ３３０へセットされた比較用原稿の全ページに対して検査（以下に示すステップＳ４-５〜Ｓ４-１１の処理）が終了したか否かを判定する。
【００５８】
そして、ステップＳ４-５において、ＣＰＵ２１２が、ＡＤＦ３３０へセットされた比較用原稿の全ページの検査がまだ終了していないと判定した場合には、ステップＳ４-６へ処理を進める。
【００５９】
ステップＳ４-６では、ＣＰＵ２１２は、ＡＤＦ３３０にセットされた比較用原稿から画像データ（第１画像データ）を１ページ分読取るように制御する。即ち、印刷物読取ユニット１０１の機能を実行する。
【００６０】
次にステップＳ４-７において、ＣＰＵ２１２は、フィニッシャ２２０から送信される画像データ（フィニッシャ２２０の画像読取部２２３で印刷済シートから読取られた画像データ（第２画像データ））の受信を待機する。そして、ＣＰＵ２１２は、フィニッシャ２２０から送信される画像データ（第２画像データ）の受信を確認するとステップＳ４-８に処理を進める。
【００６１】
次にステップＳ４-８において、ＣＰＵ２１２は、ＡＤＦ３３０が原稿を読取って得た画像データ（第１画像データ）とフィニッシャ２２０の画像読取部２２３で読取られた画像データ（第２画像データ）を解析する。即ち、画像解析ユニット１０２の機能を実行する。さらに、ＣＰＵ２１２は、この解析結果に基づいて、フィニッシャ２２０の画像読取部２２３で読取られた印刷済シートの印刷処理状態を判定する。即ち、判定ユニット１０３の機能を実行する。なお、解析方法・判定方法として、読取り画像のパターンマッチングにより異常を検知する方法、印刷物に解析情報（ページ、改定情報）を埋め込む等、各種の方法があるが、本発明は解析方法を限定するものではない。
【００６２】
次に、ステップＳ４-９において、ＣＰＵ２１２は、フィニッシャ２２０に対し判定ユニット１０３の判定結果を送信し、ステップＳ４-１０へ処理を進める。
【００６３】
ステップＳ４-１０では、ＣＰＵ２１２は、ステップＳ４-８の判定結果として印刷処理状態が良いことが示されている場合には、ステップＳ４-５に処理を戻して、次のページの処理に移行させる。
【００６４】
ステップＳ４-１０では、ＣＰＵ２１２は、ステップＳ４-８の判定結果が良でない場合（否の場合）には、ステップＳ４-１１に処理を進める。
【００６５】
ステップＳ４-１１では、ＣＰＵ２１２は、フィニッシャ２２０から送信される補完印刷指示を受信するまで待機する。そして、ＣＰＵ２１２は、補完印刷指示を受信したと判断すると、ステップＳ４-６で読込んだ第１画像データをプリンタユニット２１７にて印刷し、印刷済シートをフィニッシャ２２０に搬送するように制御する。即ち、補完印刷ユニット１０４の機能を実行する。そして、ＣＰＵ２１２は、ステップＳ４-５に処理を戻して、次のページの処理に移行させる。
【００６６】
このように、ＣＰＵ２１２は、全てのページの検査が終了するまで上記ステップＳ４-５〜Ｓ４-１１の処理を繰り返す。そして、ステップＳ４-５において、ＣＰＵ２１２が、ＡＤＦ３３０へセットされた比較用原稿の全ページの検査を終了したと判定した場合には、本フローチャートの処理を終了させる。
【００６７】
図５は、本発明における第２の制御処理手順の一例を示すフローチャートであり、フィニッシャ２２０の動作を示す。なお、このフローチャートの処理は、図２に示したフィニッシャ２２０の制御部２２１が実行する処理に対応する。
【００６８】
まず、ステップＳ５-１において、制御部２２１は、作業者により検査対象の印刷物（即ち、検査対象となる印刷済シート）がフィニッシャ２２０に付属するインサータ２２５へセットされたことを検知するまで待機する。そして、制御部２２１は、インサータ２２５に印刷済シートがセットされたことを検知したら、ステップＳ５-２に処理を進める。
【００６９】
ステップＳ５-２では、制御部２２１は、印刷済シートがインサータ２２５へセットされたことを示す情報（印刷物検知情報）をＭＦＰ本体２１０に送信する。
【００７０】
次にステップＳ５-３では、制御部２２１は、ＭＦＰ本体２１０から送信される印刷物読込み開始指示を受信するまで待機し、印刷物読込み開始指示を受信するとステップＳ５-４に処理を進める。
【００７１】
ステップＳ５-４では、制御部２２１は、インサータ２２５へセットされた検査対象の印刷済シートの全ページに対する検査（後述するステップＳ５-５〜Ｓ５-１０の処理）が終了したか否かを判定する。そして、制御部２２１は、インサータ２２５へセットされた検査対象の印刷済シートの全ページに対する検査がまだ終了していないと判定した場合には、ステップＳ５-５へ処理を進める。
【００７２】
ステップＳ５-５では、制御部２２１は、インサータ２２５にセットされた印刷済シートから画像データ（第２画像データ）を１ページ分読取り、該読取った第２画像データをＭＦＰ本体２１０に送信するように制御する。即ち、印刷物読取ユニット１０５の機能を実行する。
【００７３】
次にステップＳ５-６において、制御部２２１は、ＭＦＰ本体２１０から送信される解析判定結果（図４のＳ４-９で送信される判定結果）の受信を待機し、該判定結果を受信すると、ステップＳ５-７へ処理を進める。
【００７４】
ステップＳ５-７では、制御部２２１は、ステップＳ５-６で受信した判定結果においてステップＳ５-５で第２画像データを読取った印刷済シートが良品と判定されている場合（即ち、判定結果が良の場合）には、ステップＳ５-１０に処理を進める。
【００７５】
そしてステップＳ５-１０では、制御部２２１は、ステップＳ５-５で良品と判定された印刷済シートを検査済みトレイ（排紙トレイ７０）に排紙するように制御する。そして、ステップＳ５-４に処理を戻し、次のページの処理に移行させる。
【００７６】
一方、ステップＳ５-７において、Ｓ５-６で受信した判定結果においてＳ５-５で第２画像データを読取った印刷済シートが良品でないと判定されている場合（即ち、判定結果が否の場合）には、制御部２２１は、ステップＳ５-８に処理を進める。
【００７７】
そしてステップＳ５-８では、制御部２２１は、ステップＳ５-５で良品でないと判定された印刷済シートを廃棄用トレイ（排紙トレイ６０）に排紙するように制御する。次に、ステップＳ５-９において、制御部２２１は、上記ステップＳ５-５で良品でないと判定された印刷済シートに対応するページの印刷指示（補完印刷指示）をＭＦＰ本体２１０に送信する。そして、制御部２２１は、補完印刷指示に応じてＭＦＰ本体２１０で印刷されて搬送されてくる補完印刷済みのシートを待機し、該補完印刷済みのシートが搬送されてくると、ステップＳ５-１０に処理を進める。ステップＳ５-１０では、制御部２２１は、ＭＦＰ本体２１０から受け取った補完印刷済みのシートを検査済みトレイ（排紙トレイ７０）に排紙するように制御する。なお、制御部２２１は、補完印刷指示に応じてＭＦＰ本体２１０から搬送されてくる印刷済シートを検査済みトレイに排紙するまで、印刷済シートに引き続く印刷済シートの排紙を待機させるように制御する。即ち、制御部２２１は、上記ステップＳ５-６〜Ｓ５-１０において、排紙先切替ユニット１０６の機能を実行する。
【００７８】
そして、制御部２２１は、上記ステップＳ５-１０の処理が終了すると、ステップＳ５-４に処理を戻し、次のページの処理に移行させる。
【００７９】
このように、制御部２２１は、インサータ２２５へセットされた検査対象の印刷物の全ページに対する検査が終了するまで上記ステップＳ５-４〜ステップＳ５-１０の処理を繰り返す。そして、制御部２２１は、ステップＳ５-４において、インサータ２２５へセットされた検査対象の印刷物の全ページの検査を終了したと判定した場合には、本フローチャートの処理を終了させる。
【００８０】
以上の手順により、ＭＦＰのイメージリーダユニット２１６、プリンタユニット２１７、フィニッシャ２２０、インサータ２２５及び画像読取部２２３を利用して、印刷済シートの検査と補完処理とを一貫して効率的に実施可能となる。これにより、印刷済シートに印刷処理状態の良くないシートが含まれている場合に、印刷処理状態に応じたシートの分別と、印刷処理状態の良くないページの再印刷処理とを、印刷処理の生産性を落すことなく実行することができる。さらに、印刷物の該当箇所へ確実に差し替え（又は挿入）が自動的に（手作業でなく）可能となり、作業者の負担を軽減するとともに、従来のように作業者による差し替え（挿入）ミス等（人為的ミス）による印刷物の不良を防止することができる。また、品質劣化のない検査補完処理が可能となる。
【００８１】
〔第２実施形態〕
次に、本発明の第２実施形態について説明する。
【００８２】
図６は、本発明の第２実施形態を示すシステムの構成を示すブロック図である。なお、第２実施形態と第１実施形態との違いは、フィニッシャ２２０が図１に示した印刷物読取ユニット１０５に相当する手段を備えていない点である。以下、構成及び動作について説明する。
【００８３】
本実施形態のシステムでは、ＭＦＰ本体２１０を検査補完装置として利用し、予めＭＦＰ本体２１０内部の記憶装置（外部記憶装置２１４）に検査対象のＪＯＢ（検査ＪＯＢ）を保管（蓄積）しておくものとする。この検査ＪＯＢの保管については図７を用いて後述する。
【００８４】
まず、作業者は、ＭＦＰ本体２１０のＡＤＦ３３０（図３）に検査対象の１又は複数枚の印刷物（印刷済シート）をセットする。そして、検査処理を開始させる。
【００８５】
すると、印刷物読取ユニット（印刷物読取手段）６０１が、ＭＦＰ本体２１０のＡＤＦ３３０にセットされた上記印刷物から画像情報（第２画像データ）を読取る（画像取得する）。
【００８６】
そして、画像解析ユニット（画像解析手段）６０２が、ＭＦＰ本体２１０の外部記憶装置２１４に保管してある検査ＪＯＢ内の該当ページの画像データ（第１画像データ）と、印刷物読取ユニット６０１で読取った第２画像データとをページ単位で比較・解析する。なお、画像解析ユニット６０２による画像の比較・解析方法は、パターンマッチングによる比較・解析、印刷物に埋め込まれた解析情報（ページ、改定情報）を用いた比較・解析等、各種の方法が考えられるが、本発明では方法は限定しない。
【００８７】
さらに、画像解析ユニット６０２の比較・解析結果に基づいて判定ユニット６０３が両者をページ単位で比較して印刷処理状態の良否を判定する。そして、判定ユニット６０３の判定結果を検査結果管理ユニット６０４が判定結果蓄積部としての外部記憶装置２１４に検査ログとして登録（蓄積）する。なお、上記検査ログについては図９を用いて後述する。
【００８８】
次に上述した印刷物読取ユニット６０１による第２画像データの読取りが終了した印刷物（印刷済シート）をフィニッシャ２２０のインサータ２２５に移動（セット）する。そして、作業者がフィニッシャ２２０の表示操作部２２４からの操作により検査確認モードに切替えると、検査解析ユニット（検査解析手段）６０７が検査結果管理ユニット（検査結果管理手段）６０４より用紙の検査ログ情報を読み出す。検査ログの結果、印刷処理状態が良いと判定された印刷済シートは、排紙先切替ユニット（排紙先切替手段）６０８が第１積載部（検査済みトレイ、例えば図３の排紙トレイ７０）に排紙する。即ち、排紙先切替ユニット６０８は、特定ページの印刷処理状態が良と判定ユニット６０３が判定した場合に前記特定ページの印刷済シートを検査済みトレイに排紙する。
【００８９】
一方、検査ログの結果、印刷処理状態が良くないと判定された印刷済シートは、排紙先切替ユニット６０８が第２積載部（廃棄用トレイ、例えば図３の排紙トレイ６０）に排紙し、印刷処理状態が良くないページの補完印刷を補完印刷ユニット（補完印刷手段）６０５に指示する。即ち、排紙先切替ユニット６０８は、特定ページの前記印刷処理状態が良と判定ユニット６０３が判定しない場合に前記特定ページの印刷済シートを廃棄用トレイに排紙する。そして、前記特定ページの印刷済シートに引き続く印刷済シートの排紙を待機させる。補完印刷ユニット６０５は、ＭＦＰ本体２１０の外部記憶装置２１４に保管してある検査ＪＯＢから印刷処理状態が良くないページ（前記特定ページ）に対応する第１画像データを再印刷処理する。そして、再印刷されてフィニッシャ２２０に搬送された印刷済シートを排紙先切替ユニット６０８が検査済みトレイに排紙する。このような一連の処理を、検査対象の印刷済シートのページ毎に行うことにより、本実施形態のシステムは、印刷処理状態が良くないページの差し替え（又は不足ページ挿入）などの適切な補完動作を行うものである。
【００９０】
なお、本実施形態では、インサータ２２５は、単に、インサータ２２５から取得したシートをＭＦＰ本体２１０により印刷され送られてくるシートに挿入するための通常モードと、後述する検査モードとを有する。なお、このモードは、表示操作部２２４からの操作によって切替可能である。
【００９１】
以下、図７を用いて、上述した検査ＪＯＢのＭＦＰ本体２１０の外部記憶装置２１４への保管について説明する。
【００９２】
図７は、図２に示したクライアントＰＣ２００のモニタ２０６に表示されるプリンタドライバ設定画面の一例を示す図である。なお、この画面は、ＣＰＵ２０１がＨＤＤ２０４に格納されるプリンタドライバプログラムをＲＡＭ２０３にロードして実行することにより実現される機能により表示される。
【００９３】
作業者は、クライアントＰＣ２００にて、図７に示すプリンタドライバ設定画面にて、出力方法の設定（出力方法：「検査ＪＯＢ保管」１１０１）を指定して、検査対象の印刷処理を実行する（即ち、検査対象の印刷ＪＯＢ生成を行う）。すると、ＣＰＵ２０１は、生成した印刷ＪＯＢをネットワーク２３０を介してＭＦＰ本体２１０へ送信する。すると、ＭＦＰ本体２１０のＣＰＵ２１２は、この印刷ジョブを受信して、外部記憶装置２１４に検査ＪＯＢとして保管（蓄積）する。即ち、本実施形態では、ＭＦＰ本体２１０は、検査ＪＯＢとして第１画像データを取得する（画像取得する）。なお、ＭＦＰ本体２１０のＣＰＵ２１２は、この検査ＪＯＢを用いて印刷処理を行って印刷物（印刷済シート）を出力する。なお、クライアントＰＣ２００にて図７に示したプリンタドライバ設定（出力方法：「検査ＪＯＢ保管」１１０１）が指定されていない場合は、ＣＰＵ２１２は、印刷物の出力完了後、印刷ＪＯＢを破棄するように制御する。
【００９４】
ここで、上記第１実施形態と同様に、比較用原稿が紙等の印刷物（反射原稿）である場合の処理についても説明する。
【００９５】
比較用原稿が印刷物の場合、作業者はＭＦＰ本体２１０のＡＤＦ３３０に比較用原稿をセットし、表示操作部２１８を操作して検査ＪＯＢ保管モードを選択する。そして、ＡＤＦ３３０上の比較用原稿からイメージリーダユニット２１６により画像データを読取らせる。すると、ＭＦＰ本体２１０のＣＰＵ２１２は、読取った画像データをＭＦＰ本体２１０の外部記憶装置２１４に検査用のＪＯＢ（検査ＪＯＢ）として保管（蓄積）させる。
【００９６】
この実施形態の場合、イメージリーダユニット２１６は、第１実施形態で示した通常の読取りモード、上述の比較用原稿を読取って検査ＪＯＢを保管する比較用原稿読取りモード、後述する検査モードとを有する。なお、このモードは、表示操作部２１８からの操作によって切替可能である。
【００９７】
以下、図８〜図１１を用いて、本実施形態における検査補完処理の各ステップの動作を説明する。
【００９８】
図８は、本発明における第３の制御処理手順の一例を示すフローチャートであり、ＭＦＰ本体２１０の動作を示す。なお、このフローチャートの処理は、図２に示したＭＦＰ本体２１０のＣＰＵ２１２がメモリ２１３，外部記憶装置２１４に格納されたプログラムを実行することにより実現される。
【００９９】
まず、ステップＳ７-１において、ＣＰＵ２１２は、表示操作部２１８からのＭＦＰ利用作業者による検査モードへの切替操作を検知すると、ステップＳ７-２に処理を進める。
【０１００】
次に、ステップＳ７-２では、ＣＰＵ２１２は、作業者により検査対象の印刷物（即ち、検査対象の印刷済シート）がＭＦＰ本体２１０のＡＤＦ３３０にセットされたことを検知するまで待機する。そして、ＣＰＵ２１２は、ＡＤＦ３３０への印刷物のセットを検知したら、ステップＳ７-３に処理を進める。
【０１０１】
ステップＳ７-３では、ＣＰＵ２１２は、ＡＤＦ３３０へセットされた検査対象の印刷済シートの全ページに対する検査（後述するステップＳ７-４〜Ｓ７-６の処理）が終了したか否かを判定する。そして、ＣＰＵ２１２は、ＡＤＦ３３０へセットされた検査対象の印刷済シートの全ページに対する検査がまだ終了していないと判定した場合には、ステップＳ７-４へ処理を進める。
【０１０２】
ステップＳ７-４では、ＣＰＵ２１２は、ＡＤＦ３３０にセットされた印刷物から画像データ（第２画像データ）を１ページ分読取るように制御する。即ち、印刷物読取ユニット６０１の機能を実行する。
【０１０３】
次にステップＳ７-４において、ＣＰＵ２１２は、ＭＦＰ本体２１０の外部記憶装置２１４に保管してある検査ＪＯＢの該当ページに対応する画像データ（第１画像データ）とＡＤＦ３３０から読込んだ印刷物のデータ（第２画像データ）を解析する。即ち、画像解析ユニット６０２の機能を実行する。さらに、ＣＰＵ２１２は、この解析結果に基づいて、上記ＡＤＦ３３０から読込んだ印刷済シートの印刷処理状態の良否を判定する。即ち、判定ユニット６０３の機能を実行する。なお、解析方法・判定方法としてはパターンマッチングにより異常を検知する方法があるがそれに限定するものではない。
【０１０４】
次に、ステップＳ７-６において、ＣＰＵ２１２は、判定結果をＭＦＰ本体２１０の外部記憶装置２１４に記憶される検査結果テーブル（図９）に登録（蓄積）する。即ち、検査結果管理ユニット６０４の機能を実行する。
【０１０５】
ここで、図９を用いて、検査結果登録テーブルについて説明する。
【０１０６】
図９は、本実施形態における検査結果登録テーブルの一例を示す図である。
【０１０７】
図９に示すように、検査結果登録テーブルには、ページ番号と共に検査結果情報が格納される。ここではページ毎に検査結果情報が格納される例を示したが、ページに限定されるものではない。また、検査結果登録テーブルは、メモリ２１３やその他の記憶装置（不図示）に格納しても構わない。
【０１０８】
以下、図８のフローチャートの説明に戻る。
【０１０９】
ステップＳ７-６の登録処理が終了したら、ＣＰＵ２１２は、ステップＳ７-３に処理を戻して、印刷物の次ページの処理に移行させる。
【０１１０】
このように、ＣＰＵ２１２は、ＡＤＦ３３０へセットされた検査対象の印刷物の全ページの読取りが終了するまで上記ステップＳ７-４〜Ｓ７-６の処理を繰り返す。そして、ステップＳ７-３において、ＣＰＵ２１２が、印刷物の全ページの読取りを終了したと判定した場合には、本フローチャートの処理を終了させる。
【０１１１】
次に図１０を用いて、フィニッシャ２２０の動作を説明する。
【０１１２】
図１０は、本発明における第４の制御処理手順の一例を示すフローチャートであり、フィニッシャ２２０の動作を示す。なお、このフローチャートの処理は、図２に示したフィニッシャ２２０の制御部２２１が実行する処理に対応する。
【０１１３】
まず、ステップＳ８-１において、制御部２２１は、表示操作部２２４からのＭＦＰ利用作業者による検査モードへの切替操作を検知すると、ステップＳ８-２に処理を進める。
【０１１４】
次に、ステップＳ８-２では、制御部２２１は、印刷物（検査対象の印刷済シート）がインサータ２２５へセットされたことを検知するまで待機する。そして、制御部２２１は、インサータ２２５への印刷物セットを検知したら、ステップＳ８-３に処理を進める。
【０１１５】
ステップＳ８-３では、制御部２２１は、インサータ２２５へセットされた検査対象の印刷物の全ページに対する検査（後述するステップＳ８-４〜Ｓ８-９の処理）が終了したか否かを判定する。そして、制御部２２１は、インサータ２２５へセットされた検査対象の印刷物の全ページに対する検査がまだ終了していないと判定した場合には、ステップＳ８-４へ処理を進める。
【０１１６】
ステップＳ８-４では、制御部２２１は、インサータ２２５から１枚印刷物を取り込む（給紙する）ように制御する。即ち、印刷物取得ユニット６０６の機能を実行する。
【０１１７】
次にステップＳ８-５において、制御部２２１は、ＭＦＰ本体２１０の外部記憶装置２１４に記憶される検査結果登録テーブルより、当該ページ（ステップＳ８-４でインサータ２２５から取り込んだ印刷物のページ）の検査結果情報を参照（取得）して解析する。即ち、検査解析ユニット６０７の機能を実行する。この検査結果情報の参照（取得）は、制御Ｉ／Ｆ２１９，制御Ｉ／Ｆ２２６を介してＭＦＰ本体２１０と通信することにより行うものとする。
【０１１８】
次にステップＳ８-６において、制御部２２１は、Ｓ８-５で参照した当該ページの検査結果情報においてＳ８-４で取得した印刷物（印刷済シート）が良品と判定されている場合（即ち、図９の検査結果がＯＫの場合）には、ステップＳ８-９に処理を進める。
【０１１９】
ステップＳ８-９では、制御部２２１は、ステップＳ８-６で良品であると判定された印刷済シートを検査済みトレイ（排紙トレイ７０）に排紙するように制御する。
【０１２０】
一方、ステップＳ８-６において、制御部２２１は、Ｓ８-５で参照した当該ページの検査結果情報においてＳ８-４で取得した印刷済シートが良品でないと判定されている場合（即ち、図９の検査結果がＮＧの場合）には、ステップＳ８-７に処理を進める。
【０１２１】
そしてステップＳ８-７では、制御部２２１は、ステップＳ８-６で良品でないと判定された印刷済シートを廃棄用トレイ（排紙トレイ６０）に排紙するように制御する。次に、ステップＳ８-８において、制御部２２１は、上記ステップＳ８-６で良品でないと判定された印刷済シートに対応するページの印刷指示（補完印刷指示（ページ番号等を含む））をＭＦＰ本体２１０に送信する。そして、制御部２２１は、上記補完印刷指示に応じてＭＦＰ本体２１０で印刷されて搬送されてくるシート（補完印刷済みのシート）を待機する。そして、該補完印刷済みのシートが搬送されてくると、制御部２２１は、ステップＳ８-９に処理を進め、ＭＦＰ本体２１０から受け取った補完印刷済みのシートを検査済みトレイ（排紙トレイ７０）に排紙するように制御する。なお、制御部２２１は、上記補完印刷指示に応じてＭＦＰ本体２１０から搬送されてくる印刷済シートを検査済みトレイに排紙するまで、前記印刷済シートに引き続く印刷済シートの排紙を待機させるように制御する。即ち、制御部２２１は、上記ステップＳ８-６〜Ｓ８-９において、排紙先切替ユニット６０８の機能を実行する。
【０１２２】
そして、制御部２２１は、上記ステップＳ８-９の処理が終了すると、ステップＳ８-３に処理を戻し、次のページの処理に移行させる。
【０１２３】
このように、制御部２２１は、インサータ２２５へセットされた検査対象の印刷物の全ページに対する検査が終了するまで上記ステップＳ８-４〜Ｓ８-９の処理を繰り返す。そして、制御部２２１は、ステップＳ８-３において、インサータ２２５へセットされた検査対象の印刷物の全ページの検査を終了したと判定した場合には、本フローチャートの処理を終了させる。
【０１２４】
以下、図１１を用いてＭＦＰ本体２１０における補完印刷処理を説明する。
【０１２５】
図１１は、本発明における第５の制御処理手順の一例を示すフローチャートであり、ＭＦＰ本体２１０の補完印刷処理を示す。なお、このフローチャートの処理は、図２に示したＭＦＰ本体２１０のＣＰＵ２１２がメモリ２１３，外部記憶装置２１４に格納されたプログラムを実行することにより実現される。
【０１２６】
まず、ＣＰＵ２１２が、図９のステップＳ８-８においてフィニッシャ２２０より送信された補完印刷指示（ページ番号等を含む）を受信したことを検知すると、本フローチャートの処理を開始する。
【０１２７】
まず、ステップＳ９-１において、ＣＰＵ２１２は、上記受信した補完印刷指示（ページ番号等を含む）に基づいて該当するページの補完データ検索を開始する。
【０１２８】
次にステップＳ９-２において、ＣＰＵ２１２は、補完データ検索が完了するまで待機する。そして、ＣＰＵ２１２は、補完データ検索を完了し、補完印刷対象となるページの印刷データ（第１画像データ）を外部記憶装置２１４に格納される検査ＪＯＢから特定したと判定した場合には、ステップＳ９-３に処理を進める。
【０１２９】
ステップＳ９-３では、ＣＰＵ２１２は、ステップＳ９-２で検索した印刷データ（第１画像データ）をプリンタユニット２１７にて印刷し、印刷物（補完印刷済みのシート）をフィニッシャ２２０に送り出すように制御する。即ち、補完印刷ユニット６０５の機能を実行する。
【０１３０】
以上、これらの手順により、上記第１実施形態と同様の効果を得ることができる。
【０１３１】
〔第３実施形態〕
本実施形態では、検査対象の１又は複数枚の印刷物（印刷済シート）が両面原稿である場合について説明する。
【０１３２】
上述した各実施形態において、検査対象の１又は複数枚の印刷物（印刷済シート）が両面原稿である場合、該印刷物の両面を読取り、両面の良否判定を行うように構成する。なお、この場合、判定ユニット（１０３，６０３）は、印刷物の両面単位（即ち１シート単位）で印刷物の印刷処理状態の判定を行う。そして、印刷処理状態が良と判定された場合は（印刷物の印刷状態が両面とも良と判定された場合は）、排紙先切替ユニット（１０６，６０８）は、当該印刷物を検査済みトレイへ排紙する。一方、印刷処理状態が否と判定した場合は（少なくとも印刷物の片面の印刷状態が否と判定された場合は）、排紙先切替ユニット（１０６，６０８）は、当該印刷物を廃棄用トレイに排紙する。この場合、さらに、排紙先切替ユニット（１０６，６０８）は、当該印刷物に対応する両面ページの第１画像データに基づく両面補完印刷指示を補完印刷ユニット（１０４，６０５）に送信する。そして、補完印刷ユニット（１０４，６０５）が、指示された両面ページの第１画像データに基づく両面印刷処理を行う。さらに、排紙先切替ユニット（１０６，６０８）は、前記補完印刷ユニットに補完印刷されたシートを検査済みトレイに排紙するまで、前記印刷状態が否と判定された印刷物に引き続く印刷物の排紙を待機させるように構成する。
【０１３３】
なお、シートの両面読取りに、１パス両面読取り可能なスキャナ（例えば図１２）を搭載したイメージリーダユニット２１６、インサータ２２５を用いるように構成してもよい。
【０１３４】
図１２は、１パス両面読取り可能なスキャナの一例を示す断面図である。
【０１３５】
図１２において、８０１はセンサであり、シートの表面（裏面）から画像データを読取るためのものであり、図３に示したイメージセンサ３０９に該当する。８０２はセンサであり、シートの裏面（表面）から画像データを読取るためのものである。
【０１３６】
このスキャナは、図１２に示すように、センサ８０１，８０２により、１パスでシート両面の読取りが可能となる。
【０１３７】
なお、上述した各種構成及びその内容はこれに限定されるものではなく、用途や目的に応じて、様々な構成や内容で構成されることは言うまでもない。
【０１３８】
以上、一実施形態について示したが、本発明は、例えば、システム、装置、方法、プログラム若しくは記憶媒体等としての実施態様をとることが可能である。具体的には、複数の機器から構成されるシステムに適用しても良いし、また、一つの機器からなる装置に適用しても良い。
【０１３９】
以上示したように、本発明によれば、印刷処理装置（ＭＦＰ）本体の機構を変更することなく、また、プリント生産性を落すことなく、印刷済シートのページ抜け、しわ、汚れ、印字不良等の不具合を検査して、不具合発見時の自動補完を実現することができる。さらに、手作業で差し換え（挿入）を行う必要もなく、差し換え（挿入）の際の人為的ミスを防ぐことができる。
【０１４０】
本発明の印刷処理装置は、ＰＯＤ（Print On Demand）機等への適用が有効である。
【０１４１】
特に、ＰＯＤ機での印刷物は、通常、印刷物自体が商品という位置づけのため、ページ抜け、汚れ等の不具合は許容されない。そのためワークフローの中での検査は、重要な位置を占める。また、検査の結果、不具合が発見された場合には適切な補完をする必要があるが、従来は検査と補完を一貫して満たす技術がなかった。
【０１４２】
上述したように、本発明では、ＭＦＰ本体に接続されたフィニッシャ、インサータを利用し、印刷物（印刷済シート）の作像プロセスを通さない検査処理を行うことにより、検査後の自動補完を実現し、かつ品質劣化のない検査補完処理を可能とする。また、上記自動補完により、差し換え時の人為的ミスの発生も防ぐことができる。
【０１４３】
以下、図１３に示すメモリマップを用いて、本発明に係る印刷処理装置（ＭＦＰ本体２１０のＣＰＵ２１２，フィニッシャ２２０の制御部２２１）で読取り可能な各種データ処理プログラムを格納する記憶媒体のメモリマップの構成について説明する。
【０１４４】
図１３は、本発明に係る本発明に係る印刷処理装置（ＭＦＰ本体２１０のＣＰＵ２１２，フィニッシャ２２０の制御部２２１）で読取り可能な各種データ処理プログラムを格納する記憶媒体（記録媒体）のメモリマップを説明する図である。
【０１４５】
なお、特に図示しないが、記憶媒体に記憶されるプログラム群を管理する情報、例えばバージョン情報，作成者等も記憶され、かつ、プログラム読み出し側のOS等に依存する情報、例えばプログラムを識別表示するアイコン等も記憶される場合もある。
【０１４６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４７】
本実施形態における図４，図５，図８，図１０，図１１に示す機能が外部からインストールされるプログラムによって、ホストコンピュータにより遂行されていてもよい。そして、その場合、CD-ROMやフラッシュメモリやＦＤ等の記憶媒体により、あるいはネットワークを介して外部の記憶媒体から、プログラムを含む情報群を出力装置に供給される場合でも本発明は適用されるものである。
【０１４８】
以上のように、前述した実施形態の機能を実現するソフトウェアのプログラムコードを記録した記憶媒体を、システムあるいは装置に供給する。そして、そのシステムあるいは装置のコンピュータ（又はCPUやMPU）が記憶媒体に格納されたプログラムコードを読出し実行することによっても、本発明の目的が達成されることは言うまでもない。
【０１４９】
この場合、記憶媒体から読み出されたプログラムコード自体が本発明の新規な機能を実現することになり、そのプログラムコードを記憶した記憶媒体は本発明を構成することになる。
【０１５０】
したがって、プログラムの機能を有していれば、オブジェクトコード、インタプリタにより実行されるプログラム、OSに供給するスクリプトデータ等、プログラムの形態を問わない。
【０１５１】
プログラムを供給するための記憶媒体としては、例えばフレキシブルディスク、ハードディスク、光ディスク、光磁気ディスク、MO、CD-ROM、CD-R、CD-RW、磁気テープ、不揮発性のメモリカード、ROM、DVDなどを用いることができる。
【０１５２】
この場合、記憶媒体から読出されたプログラムコード自体が前述した実施形態の機能を実現することになり、そのプログラムコードを記憶した記憶媒体は本発明を構成することになる。
【０１５３】
その他、プログラムの供給方法としては、クライアントコンピュータのブラウザを用いてインターネットのホームページに接続し、該ホームページから本発明のプログラムそのものをハードディスク等の記憶媒体にダウンロードすることによっても供給できる。また、該ホームページから圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバやFTPサーバ等も本発明の請求項に含まれるものである。
【０１５４】
また、本発明のプログラムを暗号化してCD-ROM等の記憶媒体に格納してユーザに配布する。さらに、所定の条件をクリアしたユーザに対し、インターネットを介してホームページから暗号化を解く鍵情報をダウンロードさせる。さらに、その鍵情報を使用することにより暗号化されたプログラムを実行してコンピュータにインストールさせて実現することも可能である。
【０１５５】
また、コンピュータが読み出したプログラムコードを実行することにより、前述した実施形態の機能が実現されるだけでなく、以下のような構成も含まれることは言うまでもない。例えば、そのプログラムコードの指示に基づき、コンピュータ上で稼働しているOS（オペレーティングシステム）等が実際の処理の一部又は全部を行い、その処理によって前述した実施形態の機能が実現される場合も含まれることは言うまでもない。
【０１５６】
さらに、記憶媒体から読み出されたプログラムコードを、コンピュータに挿入された機能拡張ボードやコンピュータに接続された機能拡張ユニットに備わるメモリに書き込む。そして、該メモリに書き込まれたプログラムコードの指示に基づき、その機能拡張ボードや機能拡張ユニットに備わるCPU等が実際の処理の一部又は全部を行い、その処理によって前述した実施形態の機能が実現される場合も含まれることは言うまでもない。
【０１５７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０１５８】
本発明は上記実施形態に限定されるものではなく、本発明の趣旨に基づき種々の変形（各実施形態の有機的な組合せを含む）が可能であり、それらを本発明の範囲から除外するものではない。
【０１５９】
本発明の様々な例と実施形態を示して説明したが、当業者であれば、本発明の趣旨と範囲は、本明細書内の特定の説明に限定されるのではない。
【０１６０】
なお、上述した各実施形態及びその変形例を組み合わせた構成も全て本発明に含まれるものである。
【図面の簡単な説明】
【０１６１】
【図１】本発明の第１実施形態を示すシステムの構成を示すブロック図である。
【図２】本実施形態のシステムを構成する装置のハードウェアの構成の一例を示すブロック図である。
【図３】図２に示したＭＦＰ本体及びフィニッシャのメカ構成の一例を示す断面図である。
【図４】本発明における第１の制御処理手順の一例を示すフローチャートである。
【図５】本発明における第２の制御処理手順の一例を示すフローチャートである。
【図６】本発明の第２実施形態を示すシステムの構成を示すブロック図である。
【図７】図２に示したクライアントＰＣのモニタに表示されるプリンタドライバ設定画面の一例を示す図である。
【図８】本発明における第３の制御処理手順の一例を示すフローチャートである。
【図９】本実施形態における検査結果登録テーブルの一例を示す図である。
【図１０】本発明における第４の制御処理手順の一例を示すフローチャートである。
【図１１】本発明における第５の制御処理手順の一例を示すフローチャートである。
【図１２】１パス両面読取り可能なスキャナの一例を示す断面図である。
【図１３】本発明に係る本発明に係る印刷処理装置で読取り可能な各種データ処理プログラムを格納する記憶媒体（記録媒体）のメモリマップを説明する図である。
【符号の説明】
【０１６２】
２１０    ＭＦＰ本体
１０１    印刷物読取ユニット
１０２    画像解析ユニット
１０３    判定ユニット
１０４    補完印刷ユニット
２２０    フィニッシャ
１０５    印刷物読取ユニット
１０６    排紙先切替ユニット
【図１】
2009124519.tif 000003
【図２】
2009124519.tif 000004
【図３】
2009124519.tif 000005
【図４】
2009124519.tif 000006
【図５】
2009124519.tif 000007
【図６】
2009124519.tif 000008
【図７】
2009124519.tif 000009
【図８】
2009124519.tif 000010
【図９】
2009124519.tif 000011
【図１０】
2009124519.tif 000012
【図１１】
2009124519.tif 000013
【図１２】
2009124519.tif 000014
【図１３】
2009124519.tif 000015